(57)【特許請求の範囲】
【請求項１】
患者の選択と、期間の指定とを受け付けると、患者の識別情報と、該患者に対して処方された薬品の服用期間を含む処方オーダの情報とを対応付けて記憶する記憶部を参照して、選択された前記患者の識別情報に対応付けられた処方オーダの情報を取得し、
指定された前記期間と、取得した前記処方オーダとに基づき、取得した前記処方オーダに含まれる薬品のうち、指定された前記期間内に投薬切れとなる薬品を抽出し、
抽出した前記薬品の薬品名と、該薬品の前記投薬切れとなる対象日とを含む投薬切れ情報を出力する、
処理をコンピュータが実行することを特徴とする処方薬品情報表示方法。
【請求項２】
前記抽出する処理は、指定された前記期間内に投薬切れとなる薬品を、病棟または前記患者ごとに抽出する、
ことを特徴とする請求項１に記載の処方薬品情報表示方法。
【請求項３】
前記出力する処理は、前記投薬切れ情報を、前記患者ごとに前記対象日順に一覧表示するリストを出力する、
ことを特徴とする請求項１または２に記載の処方薬品情報表示方法。
【請求項４】
前記出力する処理は、前記投薬切れ情報を、前記患者ごとに前記対象日順に一覧表示し、前記薬品ごとに前記対象日に所定のマークを表示する前記期間のカレンダを出力する、
ことを特徴とする請求項１または２に記載の処方薬品情報表示方法。
【請求項５】
前記出力する処理は、前記投薬切れ情報を、前記患者の主治医で絞り込んで出力する、
ことを特徴とする請求項１〜４のいずれか１つに記載の処方薬品情報表示方法。
【請求項６】
前記出力する処理は、前記投薬切れ情報を、前記処方オーダを発行した依頼医で絞り込んで出力する、
ことを特徴とする請求項１〜４のいずれか１つに記載の処方薬品情報表示方法。
【請求項７】
患者の選択と、期間の指定とを受け付けると、患者の識別情報と、該患者に対して処方された薬品の服用期間を含む処方オーダの情報とを対応付けて記憶する記憶部を参照して、選択された前記患者の識別情報に対応付けられた処方オーダの情報を取得し、
指定された前記期間と、取得した前記処方オーダとに基づき、取得した前記処方オーダに含まれる薬品のうち、指定された前記期間内に投薬切れとなる薬品を抽出し、
抽出した前記薬品の薬品名と、該薬品の前記投薬切れとなる対象日とを含む投薬切れ情報を出力する、
処理をコンピュータに実行させることを特徴とする処方薬品情報表示プログラム。
【請求項８】
患者の選択と、期間の指定とを受け付けると、患者の識別情報と、該患者に対して処方された薬品の服用期間を含む処方オーダの情報とを対応付けて記憶する記憶部を参照して、選択された前記患者の識別情報に対応付けられた処方オーダの情報を取得する取得部と、
指定された前記期間と、取得した前記処方オーダとに基づき、取得した前記処方オーダに含まれる薬品のうち、指定された前記期間内に投薬切れとなる薬品を抽出する抽出部と、
抽出した前記薬品の薬品名と、該薬品の前記投薬切れとなる対象日とを含む投薬切れ情報を出力する出力制御部と、
を有することを特徴とする処方薬品情報表示装置。
【発明の詳細な説明】
【技術分野】
【０００１】
本発明は、処方薬品情報表示方法、処方薬品情報表示プログラムおよび処方薬品情報表示装置に関する。
【背景技術】
【０００２】
慢性的な疾病等の患者に対して薬品を長期間に渡って定期的に処方することが行われている。病院において処方を管理するシステムでは、このように定期的に薬品を処方する場合、処方のタイミングについて受付締日が設定された定期処方の内服処方オーダが発行される。例えば、看護師は、投薬切れとならないように、処方の受付締日前に各患者の定期処方の状況を確認し、各患者の主治医に状況を通知して新たな処方を促す。また、大型連休のように薬品を処方できない期間が長い場合においても、同様に各患者の主治医に状況を通知して新たな処方を促す場合がある。
【先行技術文献】
【特許文献】
【０００３】
【特許文献１】特開２００３−６３２８号公報
【発明の概要】
【発明が解決しようとする課題】
【０００４】
しかしながら、従来のシステムでは、例えば、投薬切れ、つまり薬品の処方切れをチェックするために個々の患者カルテを開いて確認していたので、病棟全体や病院全体でどれだけの投薬切れが発生するのかを一度に確認することが困難である。また、処方指示の一覧を表示したとしても、処方日と日数から看護師が投薬切れの日付を求めるため、投薬切れを一度に確認することは困難である。
【０００５】
一つの側面では、本発明は、処方切れ薬品の確認を支援できる処方薬品情報表示方法、処方薬品情報表示プログラムおよび処方薬品情報表示装置を提供することにある。
【課題を解決するための手段】
【０００６】
一つの態様では、処方薬品情報表示方法は、患者の選択と、期間の指定とを受け付けると、患者の識別情報と、該患者に対して処方された薬品の服用期間を含む処方オーダの情報とを対応付けて記憶する記憶部を参照して、選択された前記患者の識別情報に対応付けられた処方オーダの情報を取得する処理をコンピュータが実行する。また、処方薬品情報表示方法は、指定された前記期間と、取得した前記処方オーダとに基づき、取得した前記処方オーダに含まれる薬品のうち、指定された前記期間内に投薬切れとなる薬品を抽出する処理をコンピュータが実行する。また、処方薬品情報表示方法は、抽出した前記薬品の薬品名と、該薬品の前記投薬切れとなる対象日とを含む投薬切れ情報を出力する処理をコンピュータが実行する。
【発明の効果】
【０００７】
処方切れ薬品の確認を支援できる。
【図面の簡単な説明】
【０００８】
【図１】図１は、実施例の医療情報システムの構成の一例を示すブロック図である。
【図２】図２は、処方オーダＤＢの一例を示す図である。
【図３】図３は、選択画面の一例を示す図である。
【図４】図４は、投薬切れワークシート画面の一例を示す図である。
【図５】図５は、投薬切れワークシート画面の他の一例を示す図である。
【図６】図６は、印刷の一例を示す図である。
【図７】図７は、実施例の出力処理の一例を示すフローチャートである。
【図８】図８は、処方薬品情報表示プログラムを実行するコンピュータの一例を示す図である。
【発明を実施するための形態】
【０００９】
以下、図面に基づいて、本願の開示する処方薬品情報表示方法、処方薬品情報表示プログラムおよび処方薬品情報表示装置の実施例を詳細に説明する。なお、本実施例により、開示技術が限定されるものではない。また、以下の実施例は、矛盾しない範囲で適宜組みあわせてもよい。
【実施例】
【００１０】
図１は、実施例の医療情報システムの構成の一例を示すブロック図である。図１に示す医療情報システム１は、端末装置１０と、端末装置２０と、サーバ１００とを有する。なお、図１では、端末装置１０および端末装置２０について、それぞれ１つを一例として示したが、端末装置１０および端末装置２０の数は限定されず、任意の数の端末装置１０および端末装置２０を有してもよい。また、端末装置１０は、処方薬品情報表示装置の一例である。
【００１１】
端末装置１０、端末装置２０およびサーバ１００の間は、ネットワークＮを介して相互に通信可能に接続される。かかるネットワークＮには、有線または無線を問わず、インターネットを始め、ＬＡＮ（Local  Area  Network）やＶＰＮ（Virtual  Private  Network）などの任意の種類の通信網を採用できる。
【００１２】
端末装置１０は、例えば、看護師が用いて、内服処方オーダの表示等を行うコンピュータである。端末装置１０は、例えば、患者と指定期間との情報を受け付けると該情報をサーバ１００に送信し、サーバ１００から受信した内服処方オーダから指定期間内に投薬切れとなる薬品を抽出し、抽出された薬品の投薬切れ情報を出力する。端末装置１０の一例としては、タブレット端末を採用できる。端末装置１０には、上記のタブレット端末等の可搬型の端末のみならず、据置型のパーソナルコンピュータを端末装置１０として採用することもできる。また、端末装置１０は、可搬型の端末としては、上記のタブレット端末の他にも、例えば、可搬型のパーソナルコンピュータや、スマートフォン、携帯電話機等の移動体通信端末等を採用することもできる。
【００１３】
端末装置１０は、例えば、看護師から病棟内の患者について、病棟に属する患者の選択と、指定期間とを受け付ける。なお、指定期間は、期間の指定を受け付けたときの当該指定された期間を示す。患者の選択は、例えば、病棟のあるフロアの複数の患者が選択される。端末装置１０は、受け付けた患者の選択情報と指定期間とをサーバ１００に送信する。サーバ１００は、受信した患者の選択情報と指定期間とに基づいて、選択された患者に対して発行された薬品の定期処方である内服処方オーダを端末装置１０に送信する。なお、内服処方オーダは、他の処方オーダを含む処方オーダであってもよい。端末装置１０は、サーバ１００から内服処方オーダを受信して取得する。端末装置１０は、取得された内服処方オーダから、指定期間内に投薬切れとなる薬品について、病棟または患者ごとに抽出する。端末装置１０は、抽出された薬品の薬品名と、該薬品の投薬切れとなる対象日とを含む投薬切れ情報を出力する。これにより、処方切れ薬品の確認を支援できる。
【００１４】
すなわち、端末装置１０は、患者の選択と、期間の指定とを受け付けると、患者の識別情報と、該患者に対して処方された薬品の服用期間を含む処方オーダの情報とを対応付けて記憶する記憶部を参照して、選択された患者の識別情報に対応付けられた処方オーダの情報を取得する。端末装置１０は、指定された期間と、取得した処方オーダとに基づき、取得した処方オーダに含まれる薬品のうち、指定された期間内に投薬切れとなる薬品を抽出する。端末装置１０は、抽出した薬品の薬品名と、該薬品の投薬切れとなる対象日とを含む投薬切れ情報を出力する。これにより、処方切れ薬品の確認を支援できる。
【００１５】
端末装置２０は、例えば、医師が用いて、注射等の各処置の実施、投薬等、つまりオーダを指示するコンピュータである。端末装置２０は、例えば、医師から注射等の各処置の実施、投薬等のオーダの入力を受け付けて、入力されたオーダをサーバ１００に送信する。端末装置２０の一例としては、据置型のパーソナルコンピュータを採用できる。端末装置２０には、上記の据置型のパーソナルコンピュータのみならず、タブレット端末等の可搬型の端末を端末装置２０として採用することもできる。また、端末装置２０は、可搬型の端末としては、上記のタブレット端末の他にも、例えば、可搬型のパーソナルコンピュータや、スマートフォン、携帯電話機等の移動体通信端末等を採用することもできる。
【００１６】
サーバ１００は、例えば、注射や投薬等の各種オーダ、電子カルテ等の医療情報を管理するデータベースを有し、端末装置１０および端末装置２０との間で各種の情報をやりとりする。サーバ１００は、通信部１１０と、記憶部１２０と、制御部１３０とを有する。ここで、データベースを記憶する記憶部１２０の構成について、先に説明する。記憶部１２０は、処方オーダＤＢ１２１を有する。なお、以下の説明では、定期処方の内服処方オーダを一例として説明するので、処方オーダＤＢ１２１について説明し、データベースの他の構成については説明を省略する。
【００１７】
処方オーダＤＢ１２１は、内服処方オーダを記憶する。すなわち、処方オーダＤＢ１２１は、患者の識別情報と、該患者に対して処方された薬品の服用期間を含む処方オーダの情報とを対応付けて記憶する。図２は、処方オーダＤＢの一例を示す図である。図２に示すように、処方オーダＤＢ１２１は、「オーダＩＤ」、「主治医」、「部屋」、「患者氏名」、「処方日」、「日数」、「薬品名」、「用量」、「用法」、「依頼医」、「依頼日時」といった項目を有する。処方オーダＤＢ１２１は、例えば、薬品ごとに１レコードとして記憶する。
【００１８】
「オーダＩＤ」は、内服処方オーダを識別する識別子である。「主治医」は、薬品が処方された患者の主治医を示す情報である。「部屋」は、患者が入院している病棟の部屋を示す情報である。「患者氏名」は、病棟に入院中の患者の氏名を示す情報である。「処方日」は、薬品が処方された、すなわち内服処方オーダが発行された日を示す情報である。「日数」は、薬品が処方された日数を示す情報である。「薬品名」は、処方された薬品の名称を示す情報である。「用量」は、処方された薬品の用量を示す情報である。「用法」は、処方された薬品の用法を示す情報である。「依頼医」は、内服処方オーダを発行、すなわち依頼した医師を示す情報である。「依頼日時」は、内服処方オーダが発行された日時を示す情報である。図２の例では、主治医が「医師Ａ」であり「４１２」号室に入院している「患者Ｅ」に対して、「医師Ｂ」から「２０１５年８月１１日」に、同日から「１４日」分の２つの薬品の処方が出されている。当該処方では、「アスペノンカプセル２０」が用量「３ＣＰ」で用法「１日３回  朝・昼・夕食前」で処方され、「フェアストン錠４０」が用量「２錠」で用法「１日２回  朝食後、ねる前」で処方されている。
【００１９】
図１の説明に戻って、サーバ１００は、例えば、端末装置２０から内服処方オーダを受信すると、受信した内服処方オーダを処方オーダＤＢ１２１に記憶する。また、サーバ１００は、例えば、端末装置１０から患者の選択情報と指定期間とを受信すると、受信した患者の選択情報と指定期間とに基づいて、処方オーダＤＢ１２１を参照し、選択された患者の指定期間が含まれた内服処方オーダを端末装置１０に送信する。
【００２０】
次に、端末装置１０の構成について説明する。図１に示すように、端末装置１０は、通信部１１と、表示操作部１２と、記憶部１３と、制御部１４とを有する。なお、端末装置１０は、図１に示す機能部以外にも既知のコンピュータが有する各種の機能部、例えば各種の入力デバイスや音声出力デバイス等の機能部を有することとしてもかまわない。
【００２１】
通信部１１は、例えば、無線ＬＡＮ等の通信モジュールやＮＩＣ（Network  Interface  Card）等によって実現される。通信部１１は、ネットワークＮを介してサーバ１００と有線または無線で接続され、サーバ１００との間で情報の通信を司る通信インタフェースである。通信部１１は、サーバ１００から内服処方オーダを受信する。通信部１１は、受信した内服処方オーダを制御部１４に出力する。また、通信部１１は、制御部１４から入力された患者の選択情報と指定期間とをサーバ１００に送信する。
【００２２】
表示操作部１２は、各種情報を表示するための表示デバイス、および、ユーザ、つまり看護師から各種操作を受け付ける入力デバイスである。例えば、表示操作部１２は、表示デバイスとして液晶ディスプレイ等によって実現される。また、例えば、表示操作部１２は、入力デバイスとして、タッチパネル等によって実現される。つまり、表示操作部１２は、表示デバイスと入力デバイスとが一体化される。表示操作部１２は、ユーザによって入力された操作を操作情報として制御部１４に出力する。
【００２３】
記憶部１３は、例えば、ＲＡＭ（Random  Access  Memory）、フラッシュメモリ（Flash  Memory）等の半導体メモリ素子、ハードディスクや光ディスク等の記憶装置によって実現される。記憶部１３は、サーバ１００から受信した内服処方オーダ等を記憶する。また、記憶部１３は、制御部１４での処理に用いる情報を記憶する。
【００２４】
制御部１４は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１４は、例えば、ＡＳＩＣ（Application  Specific  Integrated  Circuit）やＦＰＧＡ（Field  Programmable  Gate  Array）等の集積回路により実現されるようにしてもよい。制御部１４は、受付部１５と、取得部１６と、抽出部１７と、出力制御部１８とを有し、以下に説明する情報処理の機能や作用を実現または実行する。なお、制御部１４の内部構成は、図１に示した構成に限られず、後述する情報処理を行う構成であれば他の構成であってもよい。
【００２５】
受付部１５は、表示操作部１２から病棟に属する患者を選択するための選択画面を表示させる旨の操作情報が入力されると、選択画面を表示操作部１２に表示させる。受付部１５は、選択画面において、患者の選択を受け付ける。なお、選択画面には、例えば、日付を選択可能な日付欄に、当日の日付が表示される。受付部１５は、患者の選択として、例えば、選択画面内の病棟マップに表示中のフロア内の患者の選択を受け付ける。受付部１５は、選択画面内に設けられた投薬切れワークシートボタンが押下されると、投薬切れワークシート画面を表示操作部１２に表示させる。投薬切れワークシート画面は、例えば、当日の日付およびフロアの情報が選択画面から引き継がれて入力欄に入力された状態となる。
【００２６】
受付部１５は、投薬切れワークシート画面において、投薬切れを調べたい期間である指定期間の入力を受け付ける。受付部１５は、指定期間の入力を受け付け、例えば検索ボタンが押下されると、患者の選択情報と指定期間とを、通信部１１を介してサーバ１００に送信する。また、受付部１５は、指定期間を抽出部１７に出力する。
【００２７】
取得部１６は、受付部１５がサーバ１００に対して送信した患者の選択情報と指定期間とに基づく内服処方オーダを、通信部１１を介してサーバ１００から受信して取得する。取得部１６は、取得した内服処方オーダを抽出部１７に出力する。
【００２８】
抽出部１７は、受付部１５から指定期間が入力され、取得部１６から内服処方オーダが入力されると、内服処方オーダから指定期間内に投薬切れとなる薬品を抽出する。なお、抽出部１７は、指定期間内に投薬切れとなる薬品を、病棟または患者ごとに抽出してもよい。抽出部１７は、抽出した薬品の情報を出力制御部１８に出力する。
【００２９】
出力制御部１８は、抽出部１７から抽出された薬品の情報が入力されると、抽出された薬品の薬品名と、該薬品の投薬切れとなる対象日とを含む投薬切れ情報を、例えば投薬切れワークシート画面に出力する。このとき、出力制御部１８は、投薬切れ情報を、例えば、患者ごとに対象日順に一覧表示するリストとして投薬切れワークシート画面に出力する。また、出力制御部１８は、患者ごとに対象日順に一覧表示し、薬品ごとに対象日に所定のマークを表示する指定期間のカレンダを投薬切れワークシート画面に出力してもよい。また、出力制御部１８は、投薬切れワークシート画面において、日付および指定期間の変更を受け付けて、当該変更を反映した投薬切れ情報を一覧表示してもよい。
【００３０】
さらに、出力制御部１８は、投薬切れ情報を、患者の主治医で絞り込んで出力してもよいし、内服処方オーダを発行した依頼医で絞り込んで出力するようにしてもよい。また、出力制御部１８は、投薬切れ情報を図示しない印刷装置に出力して印刷してもよい。このとき、出力制御部１８は、例えば、主治医ごとにシート、つまり紙を分けて印刷するようにしてもよい。これにより、看護師は主治医ごとの投薬切れ情報が印刷された紙を用いて、主治医に状況を説明して処方を促すことができる。
【００３１】
ここで、図３から図５を用いて各種画面について説明する。図３は、選択画面の一例を示す図である。図３に示すように、選択画面３０には、例えば、病棟マップが表示され、各病室にどの患者が入院中であるかが表示される。また、選択画面３０には、投薬切れワークシート画面を表示させるための投薬切れワークシートボタン３１等の各種ボタンが表示される。また、選択画面３０には、日付を指定する日付欄３２が表示される。
【００３２】
選択画面３０では、例えば、病棟のフロアとして「４階東病棟」のフロアが表示され、投薬切れワークシートボタン３１が押下されると、当該フロア内の複数の患者の選択を受け付けて、投薬切れワークシート画面が表示される。なお、患者の選択は、選択画面３０内の各患者を個別に指定して選択を受け付けてもよいし、病院全体の患者の選択を受け付けてもよい。
【００３３】
図４は、投薬切れワークシート画面の一例を示す図である。図４に示すように、投薬切れワークシート画面４０には、選択画面３０から引き継いだ日付が入力される日付欄４１と、投薬切れを表示させる期間を指定する指定期間欄４２と、選択画面３０から引き継いだフロアの情報が入力されるフロア欄４３とが表示される。また、投薬切れワークシート画面４０には、入力された条件に基づいて投薬切れの薬品を検索する検索ボタン４４と、検索結果である投薬切れ情報を表示する結果表示欄４５とが表示される。また、投薬切れワークシート画面４０には、表示形式をリスト形式およびカレンダ形式から選択するラジオボタンが表示され、図４の例では、リスト形式のラジオボタン４６が選択されている。また、投薬切れワークシート画面４０には、主治医絞込ボタン４７と入力者絞込ボタン４８とが表示され、これらのボタンが押下されることで、結果表示欄４５に表示される投薬切れ情報を絞り込んでもよい。
【００３４】
図４の例では、投薬切れ情報として、「２０１５年８月２６日」より「３日間」の「４階東病棟」の投薬切れになる薬品のリストが結果表示欄４５に出力されて表示される。当該リストは、１，２行目の例では、主治医が「医師Ａ」である「４１２」号室に入院中の「患者Ｅ」に対して「医師Ｂ」が入力した処方が「８月２６日（水）」に切れることを示す。また、１，２行目の例では、投薬切れ薬品が「アスペノンカプセル２０」と「フェアストン錠４０」とであることを示す。同様に、当該リストは、３，４行目の例では、主治医が「医師Ｃ」である「４２０」号室に入院中の「患者Ｆ」に対して「医師Ｄ」が入力した処方が「８月２８日（金）」に切れることを示す。また、３，４行目の例では、投薬切れ薬品が「ＭＳコンチン錠１０ｍｇ」と「エースコール錠２ｍｇ」とであることを示す。
【００３５】
図５は、投薬切れワークシート画面の他の一例を示す図である。図５に示すように、投薬切れワークシート画面５０は、図４に示す投薬切れワークシート画面４０に対して、表示形式をカレンダ形式として出力したものである。投薬切れワークシート画面５０では、カレンダ形式のラジオボタン５１が選択され、カレンダ５２が表示される。カレンダ５２には、指定期間に対応する日数が表示される。図５の例では、カレンダ５２には、「患者Ｅ」に処方されている薬品である「アスペノンカプセル２０」と「フェアストン錠４０」とが「８月２６日（水）」に終了することを示す所定のマーク５３ａ、５３ｂが表示される。また、カレンダ５２には、「患者Ｆ」に処方されている薬品である「ＭＳコンチン錠１０ｍｇ」と「エースコール錠２ｍｇ」とが「８月２８日（金）」に終了することを示す所定のマーク５４ａ、５４ｂが表示される。なお、所定のマーク５３ａ、５３ｂ、５４ａ、５４ｂは、図５の例では黒丸「●」としたが、他のマークであってもよい。
【００３６】
また、投薬切れワークシート画面５０において、投薬切れ情報のリストまたはカレンダを主治医ごとに絞り込んで、それぞれ印刷できるようにしてもよい。図６は、印刷の一例を示す図である。図６に示すように、投薬切れワークシート画面５０では、主治医別印刷ボタン５５が押下されると、投薬切れワークシート画面５０の投薬切れ情報のうち、主治医「医師Ａ」で絞り込んだシート６０が出力され、図示しない印刷装置で印刷される。また、投薬切れワークシート画面５０では、主治医別印刷ボタン５５が押下されると、投薬切れワークシート画面５０の投薬切れ情報のうち、主治医「医師Ｃ」で絞り込んだシート６１が出力され、図示しない印刷装置で印刷される。なお、絞り込みは、入力者、すなわち内服処方オーダを発行した依頼医で絞り込んでもよい。これにより、端末装置１０は、主治医ごとに毎度印刷を行う手間を省くとともに、出力されるシートには不要な情報が記載されないので、医師や看護師にスムーズに投薬切れに対応させることができる。
【００３７】
次に、サーバ１００の構成について説明する。図１に示すように、サーバ１００は、通信部１１０と、記憶部１２０と、制御部１３０とを有する。なお、サーバ１００は、図１に示す機能部以外にも既知のコンピュータが有する各種の機能部、例えば各種の入力デバイスや音声出力デバイス等の機能部を有することとしてもかまわない。なお、記憶部１２０については先に説明したので、ここでは説明を省略する。
【００３８】
通信部１１０は、例えば、ＮＩＣ等によって実現される。通信部１１０は、ネットワークＮを介して端末装置１０および端末装置２０と有線または無線で接続され、端末装置１０および端末装置２０との間で情報の通信を司る通信インタフェースである。通信部１１０は、端末装置１０から患者の選択情報と指定期間とを受信する。通信部１１０は、受信した患者の選択情報と指定期間とを制御部１３０に出力する。また、通信部１１０は、制御部１３０から入力された内服処方オーダを端末装置１０に送信する。
【００３９】
制御部１３０は、例えば、ＣＰＵやＭＰＵ等によって、内部の記憶装置に記憶されているプログラムがＲＡＭを作業領域として実行されることにより実現される。また、制御部１３０は、例えば、ＡＳＩＣやＦＰＧＡ等の集積回路により実現されるようにしてもよい。制御部１３０は、ＤＢ管理部１３１を有し、以下に説明する情報処理の機能や作用を実現または実行する。なお、制御部１３０の内部構成は、図１に示した構成に限られず、後述する情報処理を行う構成であれば他の構成であってもよい。
【００４０】
ＤＢ管理部１３１は、各種ＤＢへの入出力を管理する。ＤＢ管理部１３１は、例えば、処方オーダＤＢ１２１への入出力を管理する。ＤＢ管理部１３１は、通信部１１０を介して端末装置１０から患者の選択情報と指定期間とを受信する。ＤＢ管理部１３１は、受信した患者の選択情報と指定期間とに基づいて、処方オーダＤＢ１２１を参照し、該当する内服処方オーダを抽出する。ＤＢ管理部１３１は、抽出した内服処方オーダを、通信部１１０を介して端末装置１０に送信する。
【００４１】
次に、実施例の医療情報システム１の動作について説明する。図７は、実施例の出力処理の一例を示すフローチャートである。
【００４２】
端末装置１０の受付部１５は、表示操作部１２から病棟に属する患者を選択するための選択画面を表示させる旨の操作情報が入力されると、選択画面を表示操作部１２に表示させる（ステップＳ１）。受付部１５は、選択画面において、患者の選択を受け付ける（ステップＳ２）。受付部１５は、患者の選択を受け付けて、選択画面内に設けられた投薬切れワークシートボタンが押下されると、投薬切れワークシート画面を表示操作部１２に表示させる（ステップＳ３）。
【００４３】
受付部１５は、投薬切れワークシート画面において、指定期間の入力を受け付ける（ステップＳ４）。受付部１５は、指定期間の入力を受け付け、例えば検索ボタンが押下されると、患者の選択情報と指定期間とをサーバ１００に送信する。また、受付部１５は、指定期間を抽出部１７に出力する。
【００４４】
サーバ１００のＤＢ管理部１３１は、端末装置１０から患者の選択情報と指定期間とを受信する。ＤＢ管理部１３１は、受信した患者の選択情報と指定期間とに基づいて、処方オーダＤＢ１２１を参照し、該当する内服処方オーダを抽出する。ＤＢ管理部１３１は、抽出した内服処方オーダを端末装置１０に送信する。
【００４５】
端末装置１０の取得部１６は、受付部１５がサーバ１００に対して送信した患者の選択情報と指定期間とに基づく内服処方オーダを、サーバ１００から受信して取得する（ステップＳ５）。取得部１６は、取得した内服処方オーダを抽出部１７に出力する。
【００４６】
抽出部１７は、受付部１５から指定期間が入力され、取得部１６から内服処方オーダが入力されると、内服処方オーダから指定期間内に投薬切れとなる薬品を抽出する（ステップＳ６）。抽出部１７は、抽出した薬品の情報を出力制御部１８に出力する。
【００４７】
出力制御部１８は、抽出部１７から抽出された薬品の情報が入力されると、抽出された薬品の投薬切れ情報を、例えば投薬切れワークシート画面に出力する（ステップＳ７）。これにより、端末装置１０は、投薬切れ薬品、つまり処方切れ薬品の確認を支援できる。すなわち、端末装置１０は、内服処方オーダや処方箋内のレシピが異なるものでも、薬品単位で管理できる。つまり、端末装置１０は、別の診療科や医師が発行している内服処方オーダをまたがって薬品単位で投薬切れ情報を出力できる。また、端末装置１０は、主治医が担当する患者について投薬切れ情報を出力できるので、病棟を超えて全入院患者の中で当該主治医が担当する患者の投薬切れ情報を絞り込んで出力できる。言い換えると、端末装置１０は、投薬切れ情報を病棟単位や選択された患者に対して一度に確認できるので、一人一人のカルテを開く手間を省くことができる。また、端末装置１０は、投薬切れ情報を病棟単位の一覧で出力することにより、定期処方の確認漏れを抑止し、投薬切れまでの対応がスムーズになるように支援できる。
【００４８】
このように、端末装置１０は、患者の選択と、期間の指定とを受け付けると、患者の識別情報と、該患者に対して処方された薬品の服用期間を含む処方オーダの情報とを対応付けて記憶する記憶部を参照して、選択された患者の識別情報に対応付けられた処方オーダの情報を取得する。また、端末装置１０は、指定された期間と、取得した処方オーダとに基づき、取得した処方オーダに含まれる薬品のうち、指定された期間内に投薬切れとなる薬品を抽出する。また、端末装置１０は、抽出した薬品の薬品名と、該薬品の投薬切れとなる対象日とを含む投薬切れ情報を出力する。その結果、処方切れ薬品の確認を支援できる。
【００４９】
また、端末装置１０は、指定された期間内に投薬切れとなる薬品を、病棟または患者ごとに抽出する。その結果、投薬切れ情報を病棟または患者ごとに確認できるので、処方切れ薬品の確認を支援できる。
【００５０】
また、端末装置１０は、投薬切れ情報を、患者ごとに対象日順に一覧表示するリストを出力する。その結果、投薬切れ情報が一目で確認できるので、処方切れ薬品の確認を支援できる。
【００５１】
また、端末装置１０は、投薬切れ情報を、患者ごとに対象日順に一覧表示し、薬品ごとに対象日に所定のマークを表示する期間のカレンダを出力する。その結果、投薬切れ情報が一目で確認できるので、処方切れ薬品の確認を支援できる。
【００５２】
また、端末装置１０は、投薬切れ情報を、患者の主治医で絞り込んで出力する。その結果、主治医が担当する患者の投薬切れ情報が一目で確認できるので、処方切れ薬品の確認を支援できる。
【００５３】
また、端末装置１０は、投薬切れ情報を、処方オーダを発行した依頼医で絞り込んで出力する。その結果、依頼医が処方オーダを発行した患者の投薬切れ情報が一目で確認できるので、処方切れ薬品の確認を支援できる。
【００５４】
なお、上記実施例では、薬品の処方オーダを内服処方オーダとして説明したが、これに限定されない。例えば、外用薬の処方オーダであってもよい。
【００５５】
また、上記実施例では、病院の入院患者に対する投薬切れ情報を出力したが、これに限定されない。例えば、慢性疾患のため定期的に通院して薬品が処方される患者に対する投薬切れ情報を出力してもよい。
【００５６】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、受付部１５と取得部１６とを統合してもよい。また、図示した各処理は、上記の順番に限定されるものではなく、処理内容を矛盾させない範囲において、同時に実施してもよく、順序を入れ替えて実施してもよい。
【００５７】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００５８】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図８は、処方薬品情報表示プログラムを実行するコンピュータの一例を示す図である。
【００５９】
図８に示すように、コンピュータ２００は、各種演算処理を実行するＣＰＵ２０１と、データ入力を受け付ける入力装置２０２と、モニタ２０３とを有する。また、コンピュータ２００は、記憶媒体からプログラム等を読み取る媒体読取装置２０４と、各種装置と接続するためのインタフェース装置２０５と、他の情報処理装置等と有線または無線により接続するための通信装置２０６とを有する。また、コンピュータ２００は、各種情報を一時記憶するＲＡＭ２０７と、ハードディスク装置２０８とを有する。また、各装置２０１〜２０８は、バス２０９に接続される。
【００６０】
ハードディスク装置２０８には、図１に示した受付部１５、取得部１６、抽出部１７および出力制御部１８の各処理部と同様の機能を有する処方薬品情報表示プログラムが記憶される。また、ハードディスク装置２０８には、処方薬品情報表示プログラムを実現するための各種データが記憶される。入力装置２０２は、例えば、図１に示した表示操作部１２の入力デバイスと同様の機能を有し、コンピュータ２００のユーザから操作情報等の各種情報の入力を受け付ける。モニタ２０３は、例えば、コンピュータ２００のユーザに対して選択画面、投薬切れワークシート画面および各種画面を表示する。インタフェース装置２０５は、例えば印刷装置等が接続される。通信装置２０６は、例えば、図１に示した通信部１１と同様の機能を有しネットワークＮと接続され、端末装置２０およびサーバ１００と各種情報をやりとりする。
【００６１】
ＣＰＵ２０１は、ハードディスク装置２０８に記憶された各プログラムを読み出して、ＲＡＭ２０７に展開して実行することで、各種の処理を行う。また、これらのプログラムは、コンピュータ２００を図１に示した受付部１５、取得部１６、抽出部１７および出力制御部１８として機能させることができる。
【００６２】
なお、上記の処方薬品情報表示プログラムは、必ずしもハードディスク装置２０８に記憶されている必要はない。例えば、コンピュータ２００が読み取り可能な記憶媒体に記憶されたプログラムを、コンピュータ２００が読み出して実行するようにしてもよい。コンピュータ２００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの処方薬品情報表示プログラムを記憶させておき、コンピュータ２００がこれらから処方薬品情報表示プログラムを読み出して実行するようにしてもよい。
【００６３】
以上、本実施例を含む実施の形態に関し、さらに以下の付記を開示する。
【００６４】
（付記１）患者の選択と、期間の指定とを受け付けると、患者の識別情報と、該患者に対して処方された薬品の服用期間を含む処方オーダの情報とを対応付けて記憶する記憶部を参照して、選択された前記患者の識別情報に対応付けられた処方オーダの情報を取得し、
指定された前記期間と、取得した前記処方オーダとに基づき、取得した前記処方オーダに含まれる薬品のうち、指定された前記期間内に投薬切れとなる薬品を抽出し、
抽出した前記薬品の薬品名と、該薬品の前記投薬切れとなる対象日とを含む投薬切れ情報を出力する、
処理をコンピュータが実行することを特徴とする処方薬品情報表示方法。
【００６５】
（付記２）前記抽出する処理は、指定された前記期間内に投薬切れとなる薬品を、病棟または前記患者ごとに抽出する、
ことを特徴とする付記１に記載の処方薬品情報表示方法。
【００６６】
（付記３）前記出力する処理は、前記投薬切れ情報を、前記患者ごとに前記対象日順に一覧表示するリストを出力する、
ことを特徴とする付記１または２に記載の処方薬品情報表示方法。
【００６７】
（付記４）前記出力する処理は、前記投薬切れ情報を、前記患者ごとに前記対象日順に一覧表示し、前記薬品ごとに前記対象日に所定のマークを表示する前記期間のカレンダを出力する、
ことを特徴とする付記１または２に記載の処方薬品情報表示方法。
【００６８】
（付記５）前記出力する処理は、前記投薬切れ情報を、前記患者の主治医で絞り込んで出力する、
ことを特徴とする付記１〜４のいずれか１つに記載の処方薬品情報表示方法。
【００６９】
（付記６）前記出力する処理は、前記投薬切れ情報を、前記処方オーダを発行した依頼医で絞り込んで出力する、
ことを特徴とする付記１〜４のいずれか１つに記載の処方薬品情報表示方法。
【００７０】
（付記７）患者の選択と、期間の指定とを受け付けると、患者の識別情報と、該患者に対して処方された薬品の服用期間を含む処方オーダの情報とを対応付けて記憶する記憶部を参照して、選択された前記患者の識別情報に対応付けられた処方オーダの情報を取得し、
指定された前記期間と、取得した前記処方オーダとに基づき、取得した前記処方オーダに含まれる薬品のうち、指定された前記期間内に投薬切れとなる薬品を抽出し、
抽出した前記薬品の薬品名と、該薬品の前記投薬切れとなる対象日とを含む投薬切れ情報を出力する、
処理をコンピュータに実行させることを特徴とする処方薬品情報表示プログラム。
【００７１】
（付記８）前記抽出する処理は、指定された前記期間内に投薬切れとなる薬品を、病棟または前記患者ごとに抽出する、
ことを特徴とする付記７に記載の処方薬品情報表示プログラム。
【００７２】
（付記９）前記出力する処理は、前記投薬切れ情報を、前記患者ごとに前記対象日順に一覧表示するリストを出力する、
ことを特徴とする付記７または８に記載の処方薬品情報表示プログラム。
【００７３】
（付記１０）前記出力する処理は、前記投薬切れ情報を、前記患者ごとに前記対象日順に一覧表示し、前記薬品ごとに前記対象日に所定のマークを表示する前記期間のカレンダを出力する、
ことを特徴とする付記７または８に記載の処方薬品情報表示プログラム。
【００７４】
（付記１１）前記出力する処理は、前記投薬切れ情報を、前記患者の主治医で絞り込んで出力する、
ことを特徴とする付記７〜１０のいずれか１つに記載の処方薬品情報表示プログラム。
【００７５】
（付記１２）前記出力する処理は、前記投薬切れ情報を、前記処方オーダを発行した依頼医で絞り込んで出力する、
ことを特徴とする付記７〜１０のいずれか１つに記載の処方薬品情報表示プログラム。
【００７６】
（付記１３）患者の選択と、期間の指定とを受け付けると、患者の識別情報と、該患者に対して処方された薬品の服用期間を含む処方オーダの情報とを対応付けて記憶する記憶部を参照して、選択された前記患者の識別情報に対応付けられた処方オーダの情報を取得する取得部と、
指定された前記期間と、取得した前記処方オーダとに基づき、取得した前記処方オーダに含まれる薬品のうち、指定された前記期間内に投薬切れとなる薬品を抽出する抽出部と、
抽出した前記薬品の薬品名と、該薬品の前記投薬切れとなる対象日とを含む投薬切れ情報を出力する出力制御部と、
を有することを特徴とする処方薬品情報表示装置。
【００７７】
（付記１４）前記抽出部は、指定された前記期間内に投薬切れとなる薬品を、病棟または前記患者ごとに抽出する、
ことを特徴とする付記１３に記載の処方薬品情報表示装置。
【００７８】
（付記１５）前記出力制御部は、前記投薬切れ情報を、前記患者ごとに前記対象日順に一覧表示するリストを出力する、
ことを特徴とする付記１３または１４に記載の処方薬品情報表示装置。
【００７９】
（付記１６）前記出力制御部は、前記投薬切れ情報を、前記患者ごとに前記対象日順に一覧表示し、前記薬品ごとに前記対象日に所定のマークを表示する前記期間のカレンダを出力する、
ことを特徴とする付記１３または１４に記載の処方薬品情報表示装置。
【００８０】
（付記１７）前記出力制御部は、前記投薬切れ情報を、前記患者の主治医で絞り込んで出力する、
ことを特徴とする付記１３〜１６のいずれか１つに記載の処方薬品情報表示装置。
【００８１】
（付記１８）前記出力制御部は、前記投薬切れ情報を、前記処方オーダを発行した依頼医で絞り込んで出力する、
ことを特徴とする付記１３〜１６のいずれか１つに記載の処方薬品情報表示装置。
【符号の説明】
【００８２】
１  医療情報システム
１０，２０  端末装置
１１  通信部
１２  表示操作部
１３  記憶部
１４  制御部
１５  受付部
１６  取得部
１７  抽出部
１８  出力制御部
１００  サーバ
１１０  通信部
１２０  記憶部
１２１  処方オーダＤＢ
１３０  制御部
１３１  ＤＢ管理部
Ｎ  ネットワーク
【図１】
0006536359.tif 000002
【図２】
0006536359.tif 000003
【図３】
0006536359.tif 000004
【図４】
0006536359.tif 000005
【図５】
0006536359.tif 000006
【図６】
0006536359.tif 000007
【図７】
0006536359.tif 000008
【図８】
0006536359.tif 000009